(57)【要約】【課題】ヘッドの位置決め精度をより向上させることができるようにする。【解決手段】アクチュエータアーム１６は、相互に表裏の関係にあり少なくとも一方がディスク記憶媒体１１に対向する一対の外側面１６ｄを備える。これらの一対の外側面１６ｄのうちの少なくとも一方に線状突起１６ｆが設けられている。線状突起１６ｆは、ディスク記憶媒体１１の回転によって生じる空気流の流れ方向で外側面１６ｄのうちで上流部となる縁部１６ｅに設けられている。【選択図】図１
2011014201.tif 000002
【特許請求の範囲】
【請求項１】
支軸によって回動可能に支持される連結部と、
回転するディスク記憶媒体に対して読み込みと書き込みとのうちの少なくとも一方を行うヘッドが先端部に連結される、前記連結部から延出した延出部と、
相互に表裏の関係にあり、少なくとも一方が前記ディスク記憶媒体に対向する一対の外側面と、
前記一対の外側面のうちの少なくとも一方における、前記ディスク記憶媒体の回転によって生じる空気流の流れ方向で当該外側面のうちで上流部となる縁部に設けられ、前記縁部に沿って延在している線状突起と、
を備えることを特徴とするアクチュエータアーム。
【請求項２】
前記延出部は、前記連結部に一体形成されて前記連結部とともにアーム本体を構成する基体部と、この基体部に固定された板部材と、を有し、
前記線状突起は、前記板部材と一体成形されていることを特徴とする請求項１に記載のアクチュエータアーム。
【請求項３】
前記延出部は、前記連結部に一体形成されて前記連結部とともにアーム本体を構成しており、
前記線状突起は、前記アーム本体と一体形成されていることを特徴とする請求項１に記載のアクチュエータアーム。
【請求項４】
前記延出部は、前記連結部に一体形成されて前記連結部とともにアーム本体を構成する基体部と、この基体部における前記空気流の流れ方向での上流部となる上流側面に固定された板部材と、を有し、
前記線状突起は、前記板部材に含まれていることを特徴とする請求項１に記載のアクチュエータアーム。
【請求項５】
前記線状突起の高さは、５０〜２００μｍの範囲内であることを特徴とする請求項１ないし４のいずれか一項に記載のアクチュエータアーム。
【請求項６】
ディスク記憶媒体と、
前記ディスク記憶媒体を回転駆動するディスク駆動源と、
回転する前記ディスク記憶媒体に対して読み込みと書き込みとのうちの少なくとも一方を行うヘッドと、
前記ヘッドが連結されるアクチュエータアームと、
前記アクチュエータアームを回動駆動するアーム駆動源と、
を備え、
前記アクチュエータアームは、
支軸によって回動可能に支持される連結部と、
前記連結部から延出した延出部と、
相互に表裏の関係にあり、少なくとも一方が前記ディスク記憶媒体に対向する一対の外側面と、
前記一対の外側面のうちの少なくとも一方における、前記ディスク記憶媒体の回転によって生じる空気流の流れ方向で当該外側面のうちで上流部となる縁部に設けられ、前記縁部に沿って延在している線状突起と、
を有することを特徴とするディスク記憶装置。
【発明の詳細な説明】
【技術分野】
【０００１】
本発明は、アクチュエータアームおよびディスク記憶装置に関し、特に、ディスク記憶媒体の回転に伴って発生する空気流の乱れに起因する風外乱を低減するための構成に特徴のあるアクチュエータアームおよびディスク記憶装置に関する。
【背景技術】
【０００２】
近年、ヘッドによってディスク記憶媒体にデータを書き込む磁気ディスク記憶装置等のディスク記憶装置では、ディスク記憶媒体の記録密度の向上に伴い、ヘッドを所定のトラックへ追従させる位置決めに高い精度が求められている。また、一方で、ディスク記憶媒体にデータを読み書きするデータ転送速度の向上も求められている。データ転送速度の向上のために、ディスク記憶媒体の回転は高速化される。
【先行技術文献】
【特許文献】
【０００３】
【特許文献１】特開２００２−３５８７４３号公報
【発明の概要】
【発明が解決しようとする課題】
【０００４】
このようにディスク記憶媒体の回転が高速化されると、ディスク記憶媒体の回転によって発生する空気流の乱れに起因する風外乱が大きくなって、アクチュエータアームに対する空気流による加振力が大きくなり、ヘッドの位置決め精度に大きな影響を及ぼす。
【０００５】
これに対し、アクチュエータアームの周りの空気流の剥離ができるだけ下流まで起こらないようにコントロールすることで、アクチュエータアームに対する空気流による加振力を低減させる構造が提案されている。
【０００６】
例えば、図１４および図１５に示すように、ディスク記憶媒体１１と対向するアクチュエータアーム２１６の面に点状の複数の突起２１６ａを設けた構成のディスク記憶装置２００が提案されている（例えば、特許文献１参照）。ここで、図１４中の矢印ａは、ディスク記憶媒体１１の回転方向、矢印ｂは、ディスク記憶媒体１１が回転することによって、発生する空気流の流れ方向を示している。図１５では、ディスク記憶媒体１１の回転時の空気流の流れの様子を矢印で示している。
【０００７】
しかしながら、このような突起２１６ａだけでは、ヘッドの位置決め精度の向上に限界がある。
【０００８】
開示の技術は、上記に鑑みてなされたものであって、ヘッドの位置決め精度をより向上させることができるアクチュエータアームおよびディスク記憶装置を提供することを目的とする。
【課題を解決するための手段】
【０００９】
本願の開示するアクチュエータアームは、一つの態様において、支軸によって回動可能に支持される連結部と、回転するディスク記憶媒体に対して読み込みと書き込みとのうちの少なくとも一方を行うヘッドが先端部に連結される、前記連結部から延出した延出部と、相互に表裏の関係にあり、少なくとも一方が前記ディスク記憶媒体に対向する一対の外側面と、前記一対の外側面のうちの少なくとも一方における、前記ディスク記憶媒体の回転によって生じる空気流の流れ方向で当該外側面のうちで上流部となる縁部に設けられ、前記縁部に沿って延在している線状突起と、を備える。
【発明の効果】
【００１０】
本願の開示するアクチュエータアームおよびディスク記憶装置の一つの態様によれば、ヘッドの位置決め精度をより向上させることができるという効果を奏する。
【図面の簡単な説明】
【００１１】
【図１】図１は、実施例１に係るディスク記憶装置を示す図である。
【図２】図２は、図１のＩＩ−ＩＩ断面図である。
【図３】図３は、実施例１に係るアクチュエータアームによるヘッドの位置決め精度に関する実験結果を示すグラフである。
【図４】図４は、実施例１に係るアクチュエータアームによるヘッドの位置決め精度に関する実験結果を説明するための説明図である。
【図５】図５は、比較例２に係るディスク記憶装置を示す図である。
【図６】図６は、図５のＸＩ−ＸＩ断面図である。
【図７】図７は、比較例２の変形例を示す断面図である。
【図８−１】図８−１は、実施例１の変形例１に係るアクチュエータアームを示す断面図である。
【図８−２】図８−２は、実施例１の変形例２に係るアクチュエータアームを示す断面図である。
【図８−３】図８−３は、実施例１の変形例３に係るアクチュエータアームを示す断面図である。
【図８−４】図８−４は、実施例１の変形例４に係るアクチュエータアームを示す断面図である。
【図９】図９は、実施例２に係るアクチュエータアームを示す断面図である。
【図１０】図１０は、実施例３に係るアクチュエータアームを示す断面図である。
【図１１】図１１は、実施例３の変形例に係るアクチュエータアームを示す断面図である。
【図１２】図１２は、実施例４に係るディスク記憶装置を示す図である。
【図１３】図１３は、図１２のＸＩＩＩ−ＸＩＩＩ断面図である。
【図１４】図１４は、従来技術に係るディスク記憶装置を示す図である。
【図１５】図１５は、図１４のＸＶ−ＸＶ断面図である。
【発明を実施するための形態】
【００１２】
以下に、本願の開示するアクチュエータアームおよびディスク記憶装置の実施例を図面に基づいて詳細に説明する。各実施例で同じ部分には同一符号を付与し、重複する説明は省略する。なお、この実施例によりこの発明が限定されるものではない。
【実施例１】
【００１３】
図１は、実施例１に係るディスク記憶装置を示す図である。図１に示すように、ディスク記憶装置１０は、データを記憶するディスク記憶媒体１１と、ヘッドアッセンブリ１２と、これらのディスク記憶媒体１１およびヘッドアッセンブリ１２を収容した筐体１３と、を備えている。なお、以下では、説明の便宜上、ディスク記憶媒体１１の径方向を水平方向、ディスク記憶媒体１１の表裏面に直交する方向を上下方向とするが、ディスク記憶装置１０の設置状態はこれに限られるものではない。
【００１４】
筐体１３は、上方に開口した有底箱状のベース部材１４と、このベース部材１４の開口を覆うカバー（図示せず）とを有している。
【００１５】
ディスク記憶媒体１１は、例えば、磁気ディスク記憶媒体である。このディスク記憶媒体１１は、複数枚が積層されていても良いし、１枚だけであっても良い。なお、図面では、ディスク記憶媒体１１が複数枚の例を示してある。このディスク記憶媒体１１は、筐体１３に配設されたスピンドルモータ１５に連結されており、スピンドルモータ１５によって回転駆動される。スピンドルモータ１５は、ディスク記憶媒体１１を回転駆動するディスク駆動源である。ここで、図１に、ディスク記憶媒体１１の回転方向を矢印ａで示してある。このようにディスク記憶媒体１１が回転することによって、空気流が発生する。この空気流の流れ方向を矢印ｂで示す。
【００１６】
ヘッドアッセンブリ１２は、複数のアクチュエータアーム１６と、各アクチュエータアーム１６の先端部にサスペンション１７を介して連結されたヘッド１８と、を備えている。また、ヘッドアッセンブリ１２におけるヘッド１８側とは反対側の端部には、コイル支持部１９が設けられており、このコイル支持部１９にコイル２０が保持されている。コイル２０は、ベース部材１４に固定されたステータ２１とによって、アクチュエータアーム１６を回動駆動するアーム駆動源２２を構成している。このヘッドアッセンブリ１２は、支軸２３によって回動可能に支持されており、アーム駆動源２２に駆動されることで支軸２３を中心として回動する。
【００１７】
図２は、図１のＩＩ−ＩＩ断面図である。図１及び図２に示すように、アクチュエータアーム１６は、支軸２３によって回動可能に支持される連結部１６ａと、連結部１６ａから延出した延出部１６ｂと、延出部１６ｂに設けられた線状突起１６ｆとを有している。このアクチュエータアーム１６は、相互に表裏の関係にあり、少なくとも一方がディスク記憶媒体１１に対向する一対の外側面１６ｃ，１６ｄを有している。一対の外側面１６ｃ，１６ｄは、アクチュエータアーム１６のうちの少なくとも延出部１６ｂに形成されている。一対の外側面１６ｃ，１６ｄは、ディスク記憶媒体１１の表裏面に略沿っており、アクチュエータアーム１６の下側面および上側面を構成している。なお、一対の外側面１６ｃ，１６ｄは、左側面および右側面で接続されている。
【００１８】
延出部１６ｂの先端部には、ヘッド１８がサスペンション１７を介して連結されている。この延出部１６ｂは、アーム駆動源の駆動力によってディスク記憶媒体１１のトラックを横切る方向に回動する。
【００１９】
線状突起１６ｆは、一対の外側面１６ｃ，１６ｄにおける、ディスク記憶媒体１１の回転によって生じる空気流の流れ方向で当該外側面１６ｃ，１６ｄのうちで上流部となる縁部１６ｅに設けられている。この線状突起１６ｆは、縁部１６ｅに沿って延在している。詳しくは、線状突起１６ｆは、延出部１６ｂの基端部から先端部付近まで延出して形成されており、各外側面１６ｃ，１６ｄに１条ずつ設けられている。なお、線状突起１６ｆは、一対の外側面１６ｃ，１６ｄの両方に設けられているものに限定されず、一対の外側面１６ｃ、１６ｄのうちの少なくとも一方の外側面１６ｃ又は１６ｄに設けられていればよい。
【００２０】
より詳細には、延出部１６ｂは、基体部１６ｇと、この基体部１６ｇに固定された板部材１６ｉと、を有している。基体部１６ｇは、連結部１６ａに一体形成されて、連結部１６ａとともにアーム本体１６ｈを構成している。板部材１６ｉは、例えば、アルミニウム板やステンレス（ＳＵＳ３０４）板などの薄板の板金部材である。この板部材１６ｉの厚さは例えば５０μｍである。板部材１６ｉは、粘弾性材料によって、基体部１６ｇの上下側面に貼り付けられている。そして、この板部材１６ｉに、線状突起１６ｆが一体成形されている。具体的には、板部材１６ｉの縁部が断面略半円弧状に屈曲されることで線状突起１６ｆが形成されている。線状突起１６ｆの高さは、５０〜２００μｍの範囲内であることが好適である。ここで、ヘッド１８の位置決め精度改善効果の観点からは、アーム本体１６ｈの上下側面の全領域に、線状突起１６ｆを設けた板部材１６ｉを貼り付けることが望ましい。
【００２１】
次に、本実施例１のアクチュエータアーム１６によるヘッド１８の位置決め精度について説明する。ここで、図３は、アクチュエータアームによるヘッドの位置決め精度に関する実験結果を示すグラフ、図４は、アクチュエータアームによるヘッドの位置決め精度に関する実験結果を説明するための説明図、図５は、比較例２に係るディスク記憶装置を示す図、図６は、図５のＸＩ−ＸＩ断面図、図７は、比較例２の変形例を示す断面図である。
【００２２】
この実験は、図３および図４にその結果を示す通り、ディスク記憶媒体１１のシリンダ毎にヘッド１８の位置決め精度のディスク回転との非同期成分を検証したものである。この実験では、本実施例１を比較例１および比較例２と比較した。比較例１のアクチュエータアームは、突起を有しない従来の構成（図示せず）である。比較例２は、図５および図６に示すディスク記憶装置１００のアクチュエータアーム１１６である。この比較例２のアクチュエータアーム１１６は、上下の外側面に、空気流の流れの方向とほぼ直交する角度で縦長凸部（段差）が設けられた構成である。なお、この突起１１６ｅは、基体部１１６ｇと一体、又は図７に示すように基体部１１６ｇと別部材の板部材１１６ｇに設けられている。なお、図１，図５では、空気流の速度(流速)が速く、最も風外乱の影響を大きく受けるディスク記憶媒体１１の外周近傍にヘッドが位置決めされた時の磁気ディスク記憶装置を示してある。また、図２，図６，図７では、ディスク記憶媒体１１の回転時の空気流の流れの様子を矢印で示している。
【００２３】
本実験では、図３および図４に示す通り、本実施例１のアクチュエータアーム１６は、従来例である比較例１に対して、全シリンダ領域でヘッド１８の位置決め精度が向上している。一方、比較例２は、ディスク記憶媒体１１のアウタ近傍にヘッド１８が位置しているときにのみ、従来例である比較例１に対してヘッド１８の位置決め精度が向上している。即ち、比較例２は、ディスク記憶媒体１１の外周近傍にヘッド１８が位置決めされているときには改善効果が大きいが、内側に位置決めされている場合には、僅かながら位置決め精度が悪化してしまう。これに対して、本実施例１のアクチュエータアーム１６は、比較例１に対する改善範囲が、比較例１に対する比較例２の改善範囲よりも広がっているとともに、平均的にみても比較例２よりもヘッド１８の位置決め精度が向上している。なお、図３および図４には記載していないが、図１４に示す従来例のアクチュエータアーム２００の実験も行った結果、このアクチュエータアーム２００の比較例１に対するヘッド１８の位置決め精度向上効果は、空気流の速度が速く最も風外乱の影響を受けるディスク記憶媒体１１の外周近傍で２％程度にとどまる。
【００２４】
上述してきたように、本実施例１では、一対の外側面１６ｃ，１６ｄにおける、ディスク記憶媒体１１の回転によって生じる空気流の流れ方向（矢印ｂ）で当該外側面１６ｃ、１６ｄのうちで上流部となる縁部１６ｅに線状突起１６ｆが設けられている。そして、この線状突起１６ｆが縁部１６ｅに沿って延在している。したがって、ディスク記憶媒体１１の回転によって発生する空気流によるアクチュエータアーム１６の振動を従来構造に比べてより抑制することができ、ヘッド１８の位置決め精度をより向上させることができる。これにより、ディスク記憶装置１０の高速化および高性能化を実現することができる。
【００２５】
また、本実施例１では、一対の外側面１６ｃ，１６ｄの両方に線状突起１６ｆが設けられているので、一対の外側面１６ｃ，１６ｄのうちの一方にだけ線状突起１６ｆが設けられている場合に比べて、ヘッド１８の位置決め精度をより向上させることができる。
【００２６】
また、本実施例１では、延出部１６ｂは、連結部１６ａに一体形成されて連結部１６ａとともにアーム本体１６ｈを構成する基体部１６ｇと、この基体部１６ｇに固定された板部材１６ｉと、を有している。そして、線状突起１６ｆは、板部材１６ｉと一体成形されている。したがって、従来のアーム本体を大幅な変更なしに流用することができる。
【００２７】
次に、本実施例１の変形例１〜４を説明する。
【００２８】
図８−１は、実施例１の変形例１に係るアクチュエータアームを示す断面図である。図８−１に示す変形例１のアクチュエータアーム１６Ａでは、基体部１６ｇに対して板部材１６ｉが一つだけ設けられている。かかる構造により、アクチュエータアーム１６Ａには、線状突起１６ｆが一つだけ設けられている。
【００２９】
かかる構成によれば、板部材１６ｉが一つだけ設けられているので、板部材１６ｉが２つ設けられている場合に比べて、アクチュエータアーム１６Ａの低コスト化を図ることができる。
【００３０】
図８−２は、実施例１の変形例２に係るアクチュエータアームを示す断面図である。図８−２に示す変形例２のアクチュエータアーム１６Ｂでは、基体部１６ｇに対して板部材１６ｉＢが一つだけ設けられている。そして、板部材１６ｉＢは、Ｌ字状に形成されており、基体部１６ｇの上流側面１６ｍを覆っているとともに、その先端部は基体部１６ｇから突出している。そして、この板部材１６ｉＢの屈曲部に線状突起１６ｆが形成されているとともに、先端部に線状突起１６ｆＢが形成されている。
【００３１】
かかる構成によれば、一つの板部材１６ｉＢによって、２つの線状突起１６ｆ，１６ｆＢが形成されているので、コスト低減とヘッド１８の位置決め精度の向上を共に図ることができる。
【００３２】
図８−３は、実施例１の変形例３に係るアクチュエータアームを示す断面図である。図８−３に示す変形例３のアクチュエータアーム１６Ｃでは、板部材１６ｉＣの縁部が略９０度折り曲げ形成されることで、線状突起１６ｆＣが形成されている。この変形例３では、板部材１６ｉＣは２つ設けられており、かかる構造によって、線状突起１６ｆＣも２つ設けられている。
【００３３】
かかる構成によれば、比較的簡単に線状突起１６ｆＣを形成することができる。
【００３４】
図８−４は、実施例１の変形例４に係るアクチュエータアームを示す断面図である。図８−４に示す変形例４のアクチュエータアーム１６Ｄでは、変形例３で説明した板部材１６ｉＣが一つだけ設けられている。かかる構造によって、線状突起１６ｆＣも１つだけ設けられている。
【００３５】
かかる構成によれば、比較的簡単に線状突起１６ｆＣを形成することができるとともに、板部材１６ｉＣが一つだけであるので、コスト低減を図ることができる。
【実施例２】
【００３６】
図９は、実施例２に係るアクチュエータアームを示す断面図である。本実施例２は、基本的には実施例１と同様であるが、アクチュエータアーム１６Ｅにおいて、線状突起１６ｆＥがアーム本体１６ｈＥと一体形成されている点が実施例１に対して異なる。
【００３７】
詳しくは、本実施例２のアクチュエータアーム１６Ｅには、実施例１の板部材１６ｉは設けられていない。そして、延出部１６ｂは、連結部１６ａに一体形成されて連結部１６ａとともにアーム本体１６ｈＥを構成しており、このアーム本体１６ｈＥに線状突起１６ｆＥが一体形成されている。これにより、アーム本体１６ｈＥに段差が形成されている。この線状突起１６ｆＥの高さは、例えば、１５０μｍである。
【００３８】
以上説明したように、本実施例２のアクチュエータアーム１６Ｅでは、線状突起１６ｆＥが、アーム本体１６ｈＥと一体形成されているので、アクチュエータアーム１６Ｅの構成の簡素化を図ることができる。
【実施例３】
【００３９】
図１０は、実施例３に係るアクチュエータアームを示す断面図である。本実施例３は、基本的には実施例１と同じであるが、実施例１の板部材１６ｉに代えて板部材１６ｋが設けられている点が実施例１に対して異なる。
【００４０】
本実施例３のアクチュエータアーム１６Ｆでは、延出部１６ｂは、実施例１と同様に、連結部１６ａに一体形成されて連結部１６ａとともにアーム本体１６ｈを構成する基体部１６ｇを有する。本実施例３では、延出部１６ｂは、基体部１６ｇにおける空気流の流れ方向（図１の矢印ｂ）での上流部となる上流側面１６ｍに固定された板部材１６ｋを有する。そして、線状突起１６ｆＦが、板部材１６ｋに含まれている。詳しくは、板部材１６ｋは、基体部１６ｇの厚さよりも高さが高く設定されている。そして、板部材１６ｋは、その上下端部が基体部１６ｇに対して上下に突出するように、基体部１６ｇに固定されている。かかる構造によって形成される突起が、線状突起１６ｆＦとなっている。
【００４１】
以上説明したように、本実施例３では、板部材１６ｋによって線状突起１６ｆＦを形成したので、比較的簡素な構成で線状突起１６ｆＦを形成することができる。
【００４２】
次に、本実施例３の変形例を説明する。図１１は、実施例３の変形例に係るアクチュエータアームを示す断面図である。本変形例のアクチュエータアーム１６Ｇでは、板部材１６ｋがコの字状に形成されて基体部１６ｇに嵌合している。そして、この板部材１６ｋの上下一対の折曲部が線状突起１６ｆＧとなっている。
【００４３】
かかる構成によれば、基体部１６ｇに対する線状突起１６ｆＧの高さをコントロールしやすいので、製造性に優れる。
【実施例４】
【００４４】
図１２は、実施例４に係るディスク記憶装置を示す図、図１３は、図１２のＸＩＩＩ−ＸＩＩＩ断面図である。本実施例４は、基本的には実施例１と同じであるが、線状突起１６ｆＨが線材によって構成されている点が実施例１に対して異なる。
【００４５】
本実施例４のアクチュエータアーム１６Ｈでは、延出部１６ｂは、連結部１６ａに一体形成されて連結部１６ａとともにアーム本体１６ｈを構成している。そして、このアーム本体１６ｈの上下側面に線状突起（線材）１６ｆＨが接着等によって固定されている。ここで、線状突起１６ｆＨを構成する線材の直径は、例えば、１００μｍである。
【００４６】
以上説明したように、本実施例４では、線状突起１６ｆＨが、アーム本体１６ｈに固定された線材によって構成されているので、比較的簡素な構成で線状突起１６ｆＨを形成することができる。
【００４７】
以上の各実施例を含む実施形態に関し、さらに以下の付記を開示する。
【００４８】
（付記１）アクチュエータアームであって、
支軸によって回動可能に支持される連結部と、
回転するディスク記憶媒体に対して読み込みと書き込みとのうちの少なくとも一方を行うヘッドが先端部に連結される、前記連結部から延出した延出部と、
相互に表裏の関係にあり、少なくとも一方が前記ディスク記憶媒体に対向する一対の外側面と、
前記一対の外側面のうちの少なくとも一方における、前記ディスク記憶媒体の回転によって生じる空気流の流れ方向で当該外側面のうちで上流部となる縁部に設けられ、前記縁部に沿って延在している線状突起と、
を備えることを特徴とするアクチュエータアーム。
【００４９】
（付記２）前記延出部は、前記連結部に一体形成されて前記連結部とともにアーム本体を構成する基体部と、この基体部に固定された板部材と、を有し、
前記線状突起は、前記板部材と一体成形されていることを特徴とする付記１に記載のアクチュエータアーム。
【００５０】
（付記３）前記延出部は、前記連結部に一体形成されて前記連結部とともにアーム本体を構成しており、
前記線状突起は、前記アーム本体と一体形成されていることを特徴とする付記１に記載のアクチュエータアーム。
【００５１】
（付記４）前記延出部は、前記連結部に一体形成されて前記連結部とともにアーム本体を構成する基体部と、この基体部における前記空気流の流れ方向での上流部となる上流側面に固定された板部材と、を有し、
前記線状突起は、前記板部材に含まれていることを特徴とする付記１に記載のアクチュエータアーム。
【００５２】
（付記５）前記延出部は、前記連結部に一体形成されて前記連結部とともにアーム本体を構成しており、
前記線状突起は、前記アーム本体に固定された線材によって構成されていることを特徴とする付記１に記載のアクチュエータアーム。
【００５３】
（付記６）前記線状突起の高さは、５０〜２００μｍの範囲内であることを特徴とする付記１ないし４のいずれか一つに記載のアクチュエータアーム。
【００５４】
（付記７）ディスク記憶装置であって、
ディスク記憶媒体と、
前記ディスク記憶媒体を回転駆動するディスク駆動源と、
回転する前記ディスク記憶媒体に対して読み込みと書き込みとのうちの少なくとも一方を行うヘッドと、
前記ヘッドが連結されるアクチュエータアームと、
前記アクチュエータアームを回動駆動するアーム駆動源と、
を備え、
前記アクチュエータアームは、
支軸によって回動可能に支持される連結部と、
前記連結部から延出した延出部と、
相互に表裏の関係にあり、少なくとも一方が前記ディスク記憶媒体に対向する一対の外側面と、
前記一対の外側面のうちの少なくとも一方における、前記ディスク記憶媒体の回転によって生じる空気流の流れ方向で当該外側面のうちで上流部となる縁部に設けられ、前記縁部に沿って延在している線状突起と、
を有することを特徴とするディスク記憶装置。
【符号の説明】
【００５５】
１０…ディスク記憶装置
１１…ディスク記憶媒体
１５…スピンドルモータ（ディスク駆動源）
１６，１６Ａ〜１６Ｈ…アクチュエータアーム
１６ａ…連結部
１６ｂ…延出部
１６ｃ，１６ｄ…外側面
１６ｅ…縁部
１６ｆ，１６ｆＢ，１６ｆＣ，１６ｆＥ，１６ｆＦ，１６ｆＧ，１６ｆＨ…線状突起
１６ｇ…基体部
１６ｈ，１６ｈＥ…アーム本体
１６ｉ，１６ｉＢ，１６ｉＣ，１６ｋ…板部材
１６ｍ…上流側面
１８…ヘッド
２２…アーム駆動源
２３…支軸
【図１】
2011014201.tif 000003
【図２】
2011014201.tif 000004
【図３】
2011014201.tif 000005
【図４】
2011014201.tif 000006
【図５】
2011014201.tif 000007
【図６】
2011014201.tif 000008
【図７】
2011014201.tif 000009
【図８−１】
2011014201.tif 000010
【図８−２】
2011014201.tif 000011
【図８−３】
2011014201.tif 000012
【図８−４】
2011014201.tif 000013
【図９】
2011014201.tif 000014
【図１０】
2011014201.tif 000015
【図１１】
2011014201.tif 000016
【図１２】
2011014201.tif 000017
【図１３】
2011014201.tif 000018
【図１４】
2011014201.tif 000019
【図１５】
2011014201.tif 000020